(57)【要約】【課題】装置を大型化することなく、２次転写ローラに付着したトナーによる記録媒体の裏面汚れを防止する。【解決手段】中間転写体２に転写された画像調整パターン２２を構成するトナー像を検出して画像調整を行う画像形成装置において、中間転写体２上に、画像調整パターン２２に用いるトナーのうち明度が最も高いトナー又は画像調整パターン２２に用いるトナーよりも明度が高いトナーを用いて、画像調整パターン２２よりも中間転写体進行方向の先行位置に、２次転写ローラ１３の周長以上の長さの先行パターン２１を形成する。【選択図】図２
2010072327.tif 000002
【特許請求の範囲】
【請求項１】
像担持体上に形成された静電潜像を現像して所定のトナー像を形成する像形成手段と、
該像形成手段により形成されたトナー像を中間転写体に１次転写する１次転写手段と、
前記中間転写体に転写されたトナー像を記録媒体に２次転写する２次転写ローラと、
を備え、
前記像形成手段により形成され、前記中間転写体に転写された、画像調整パターンを構成するトナー像を検出して画像調整を行う画像形成装置において、
前記中間転写体上に、前記画像調整パターンに用いるトナーのうち明度が最も高いトナー又は前記画像調整パターンに用いるトナーよりも明度が高いトナーを用いて、前記画像調整パターンよりも中間転写体進行方向の先行位置に、前記２次転写ローラの周長以上の長さの先行パターンを形成することを特徴とする画像形成装置。
【請求項２】
前記先行パターンのトナーは、明度が８０以上であることを特徴とする請求項１に記載の画像形成装置。
【請求項３】
前記先行パターンのトナーは、イエローのトナーであることを特徴とする請求項１又は２に記載の画像形成装置。
【請求項４】
前記先行パターンの幅は画像調整パターンの幅よりも幅広であることを特徴とする請求項１から３のいずれかに記載の画像形成装置。
【請求項５】
さらに、前記記録媒体への２次転写時に前記２次転写ローラにトナーと逆極性のバイアス電圧を印加するバイアス電圧印加手段を備え、
前記先行パターンが前記２次転写ローラを通過するとき、前記バイアス電圧印加手段により前記２次転写ローラにトナーと逆極性のバイアス電圧を印加することを特徴とする請求項１から４のいずれかに記載の画像形成装置。
【請求項６】
前記画像調整パターンが前記２次転写ローラを通過するとき、前記バイアス電圧印加手段により前記２次転写ローラにトナーと同極性のバイアス電圧を印加することを特徴とする請求項５に記載の画像形成装置。
【請求項７】
前記先行パターン及び前記画像調整パターンが前記２次転写ローラを通過した後、前記バイアス電圧印加手段により前記２次転写ローラにトナーと同極性と逆極性のバイアス電圧を交互に印加することを特徴とする請求項５又は６に記載の画像形成装置。
【発明の詳細な説明】
【技術分野】
【０００１】
本発明はモノクロやカラーの電子写真方式の複写機、プリンタ、ファクシミリ、これらの複合機等の画像形成装置に関する。
【背景技術】
【０００２】
従来、電子写真方式による画像形成装置では、感光体ドラムの表面を帯電して、画像を露光して静電潜像を形成し、静電潜像をトナーで現像してトナー像を形成し、トナー像を中間転写ベルトに１次転写して合成トナー像を形成した後に記録媒体に合成トナー像を２次転写した後、記録媒体上の合成トナー像を定着する。このような画像形成装置では、付着量制御パターン、色合わせパターン、階調補正パターンなどの画像調整パターンをトナー像として中間転写ベルトに形成し、該画像調整パターンを検出して画像調整を行っている。
【０００３】
中間転写ベルト上の画像調整パターンが、２次転写ローラを通過すると、２次転写ローラにトナーが付着し、このトナーが次に画像形成する用紙の裏面に付着して汚れる。このため、一般に、画像調整時には、２次転写ローラを中間転写ベルトから離間して、２次転写ローラにトナーが付着しないようにしている。しかし、この構成では、画像調整後に、２次転写ローラを中間転写ベルトに当接すると、中間転写ベルトが振動し、中間転写ベルトの速度が変化して、画像調整を行ったにもかかわらず、画像形成時に色重ねずれが発生する。このため、２次転写ローラが中間転写ベルトに完全に当接してから、画像形成を開始しているが、プリントボタンを押してから、画像形成が開始されるまでのタイムラグが大きく、プリント生産性が低下するという問題がある。また、２次転写ローラを離間する画像調整時の中間転写ベルトの速度と、２次転写ローラを当接する画像形成時の中間転写ベルトの速度が異なるので、画像調整パターンを精度良く検出しても、実際の画像形成時には画像形成位置が変化し、色ずれが発生するという問題がある。
【０００４】
そこで、２次転写ローラを中間転写ベルトに常に当接したままとする画像形成装置も提案されている。この画像形成装置では、画像調整パターン形成時に２次転写ローラに付着したトナーを清掃する清掃部材を設けたり、２次転写ローラにトナーと同極性のバイアス電圧を印加するなどして、２次転写ローラの汚れを防止している。
【０００５】
しかし、２次転写ローラに清掃部材を設ける構成では、ブレードなどの清掃部材だけでなく、清掃部材を支持し、清掃部材で除去したトナーを収容する容器、トナーを排出する機構が必要となり、装置が複雑で大型化する。また、２次転写ローラのトナーに対する離型性を大きくする必要があり、コストアップを将来するという問題がある。
【０００６】
２次転写ローラにトナーと同極性のバイアス電圧を印加する構成では、付着量制御パターンや色合わせパターンは中間転写ベルトに比較的長い距離にわたってトナー像を形成するため、バイアス電圧でトナーの付着を抑制していても、２次転写ローラにトナーが付着することがあった。このため、画像形成前に清掃部材で２次転写ローラを清掃する必要があり、プリント生産性が低下するという問題がある。
【０００７】
特許文献１には、１次転写時の有色トナー像の下地又は上地に透明トナー層を形成して記録媒体の裏面の汚れを防止することが提案されている。しかし、このものでは、有色トナーカートリッジ以外に透明トナーカートリッジが別途必要であり、装置が大型化するという問題がある。
【特許文献１】特開２００６−３０７３７号公報
【発明の開示】
【発明が解決しようとする課題】
【０００８】
本発明は、前記従来の問題点に鑑みてなされたもので、装置を大型化することなく、２次転写ローラに付着したトナーによる記録媒体の裏面汚れを防止することができる画像形成装置を提供することを課題とする。
【課題を解決するための手段】
【０００９】
前記課題を解決するために、第１の手段は、
像担持体上に形成された静電潜像を現像して所定のトナー像を形成する像形成手段と、
該像形成手段により形成されたトナー像を中間転写体に１次転写する１次転写手段と、
前記中間転写体に転写されたトナー像を記録媒体に２次転写する２次転写ローラと、
を備え、
前記像形成手段により形成され、前記中間転写体に転写された、画像調整パターンを構成するトナー像を検出して画像調整を行う画像形成装置において、
前記中間転写体上に、前記画像調整パターンに用いるトナーのうち明度が最も高いトナー又は前記画像調整パターンに用いるトナーよりも明度が高いトナーを用いて、前記画像調整パターンよりも中間転写体進行方向の先行位置に、前記２次転写ローラの周長以上の長さの先行パターンを形成する。
【００１０】
第２の手段は、第１の手段において、前記先行パターンのトナーは、明度が８０以上とする。
【００１１】
第３の手段は、前記各手段において、前記先行パターンのトナーは、イエローのトナーとする。
【００１２】
第４の手段は、前記各手段において、前記先行パターンの幅は画像調整パターンの幅よりも幅広である。
【００１３】
第５の手段は、前記各手段において、さらに、前記記録媒体への２次転写時に前記２次転写ローラにトナーと逆極性のバイアス電圧を印加するバイアス電圧印加手段を備え、
前記先行パターンが前記２次転写ローラを通過するとき、前記バイアス電圧印加手段により前記２次転写ローラにトナーと逆極性のバイアス電圧を印加する。
【００１４】
第６の手段は、第５の手段において、前記画像調整パターンが前記２次転写ローラを通過するとき、前記バイアス電圧印加手段により前記２次転写ローラにトナーと同極性のバイアス電圧を印加する。
【００１５】
第７の手段は、第５又は第６の手段において、前記先行パターン及び前記画像調整パターンが前記２次転写ローラを通過した後、前記バイアス電圧印加手段により前記２次転写ローラにトナーと同極性と逆極性のバイアス電圧を交互に印加する。
【発明の効果】
【００１６】
第１の手段の発明によれば、画像調整パターンの上流側に明度が高いトナーを用いて先行パターンを形成するので、明度が高いトナーが先に２次転写ローラに付着し、その後に画像調整パターンが付着する。
画像調整パターンは２次転写ローラのバイアス電圧印加手段により先行パターンのトナーよりも先に除去されるので、トナーが残るとしても、それは明度の高いトナーであり、肉眼的には目立たず、汚れとして認識されない。
【００１７】
第２の手段の発明によれば、記録媒体の裏面に明度が８０以上のトナーが付着しても肉眼的には目立たず、汚れとして認識されない。
【００１８】
第３の手段の発明によれば、記録媒体の裏面にイエローのトナーが付着しても肉眼的には、マゼンタ、シアン、ブラックの色に比べて目立たず、汚れとして認識されない。
【００１９】
第４の手段の発明によれば、画像調整パターンがずれても、２次転写ローラ上で先行パターンの明度の高いトナーの上に画像調整パターンの明度の低いトナーが付着するので、明度の低いトナーが２次転写ローラに残って用紙の裏面を汚すことはない。
【００２０】
第５の手段の発明によれば、先行パターンが２次転写ローラを通過するときに、中間転写ベルトから先行パターンの明度の高いトナーが２次転写ローラにより多く移動し、その後の画像調整パターンの明度の低いトナーが確実に２次転写ローラ上の明度の高いトナーの上に付着するので、明度の低いトナーが２次転写ローラに残って用紙の裏面を汚すことはない。
【００２１】
第６の手段の発明によれば、２次転写ローラに移動した先行パターンの明度の高いトナーの上に、画像調整パターンに明度の低いトナーが付着するのが抑制されるので、明度の低いトナーが２次転写ローラに残って用紙の裏面を汚すことはない。
【００２２】
第７の手段の発明によれば、２次転写ローラにトナーと同極性と逆極性のバイアス電圧を交互に印加するので、２次転写ローラに付着したトナーをゆさぶり作用により中間転写ベルトに移動させて、効率よく２次転写ローラを清掃することができる。
【発明を実施するための最良の形態】
【００２３】
以下、本発明の実施の形態を添付図面を参照して説明する。
【００２４】
図１は、本発明を実施する画像形成装置の作像部の概略構成図である。作像部は、Ｙ（イエロー）、Ｍ（マゼンタ）、Ｃ（シアン）、Ｋ（ブラック）のそれぞれの色のトナー像を形成する画像形成ユニット１Ｙ，１Ｍ，１Ｃ，１Ｋが中間転写ベルト２の直線部分に沿って配置されている。
【００２５】
各画像形成ユニット１Ｙ，１Ｍ，１Ｃ，１Ｋは、中間転写ベルト２に近接して配置された感光体ドラムからなる像担持体３と、像担持体３の表面を一様に帯電し電位を形成する帯電装置４と、画像信号に基づいて像担持体４の表面を露光して静電潜像を形成する露光装置５と、像担持体上３の静電潜像にトナーを付着させて顕像化して各色のトナー像を形成する現像器６と、像担持体３上の残留したトナーを除去するクリーニング装置７とからなっている。
【００２６】
中間転写ベルト２は、駆動ローラ８、従動ローラ９、及び中間ローラ１０に架設されて矢印方向に走行可能である。中間転写ベルト２の内側には、各画像形成ユニット１Ｙ，１Ｍ，１Ｃ，１Ｋの像担持体３と中間転写ベルト２を介して対向し、像担持体３上のトナー像を中間転写ベルト２に転写させてカラートナー像を形成する１次転写ローラ１１が配設されている。ブラックの画像形成ユニット１Ｋと中間転写ベルト２の駆動ローラ８との間には、中間転写ベルト２上に形成される画像調整パターンを検出する画像濃度センサ１２が配置されている。
【００２７】
中間転写ベルト２上のカラートナー像を図示しない給紙部から給紙される用紙Ｐに転写する２次転写ローラ１３が、中間転写ベルト２の駆動ローラ８と中間転写ベルト２を介して対向するように配設されている。２次転写ローラ１３には、第１直流電源１４と、第２直流電源１５と、第１直流電源１４のプラス極と第２直流電源１５のマイナス極を切り換える切換スイッチ１６とからなり、２次転写ローラ１３にトナーの帯電極性と同極性の電圧と、逆極性の電圧とを交互に印加することができるバイアス電圧印加装置１７が設けられている。なお、この２次転写ローラ１３には、当該２次転写ローラ１３を中間転写ベルト２に対して接離させる機構が設けられていない。
【００２８】
中間転写ベルト２上に残留したトナーを除去するベルトクリーニング装置１８が、中間転写ベルト２の従動ローラ１０と中間転写ベルト２を介して対向するように配設されている。
【００２９】
以上の構成からなる画像形成装置の画像形成動作自体は公知であるので説明を省略し、画像調整時における画像形成パターンの形成の動作について説明する。
【００３０】
画像調整時には、画像形成ユニット１Ｙ，１Ｍ，１Ｃ，１Ｋにより、中間転写ベルト２上に、図２（ａ），（ｂ）に示すように、まずイエローの先行パターン２１を形成し、その後に所定の画像調整パターン２２を形成する。なお、図２（ｂ）以降は、簡略化のため、中間転写ベルト２が直線状に展開された状態で示されている。
【００３１】
先行パターン２１の長さＬは、２次転写ローラ１３の周長以上とする。先行パターン２１の長さＬが２次転写ローラ１３の周長より短いと、２次転写ローラ１３に付着する先行パターン２１のトナーが２次転写ローラ１３の外周面で途切れ、その途切れた表面にイエローより明度の大きい画像調整パターン２２が付着し、汚れを抑制できないからである。先行パターン２１の幅Ｗは、画像調整パターン２２の幅よりも幅広くする。先行パターン２１の幅Ｗが画像調整パターン２２の幅よりも狭いと、画像調整パターン２２がずれたときに、先行パターン２１の幅Ｗの外側でイエローより明度の低い画像調整パターン２２のトナーが２次転写ローラ１３に付着し、汚れを抑制できないからである。先行パターン２１と画像調整パターン２２の間の間隔Ｓは、短いほどよい。一度２次転写ローラ１３に付着した先行パターン２１が取れる前に、次の画像調整パターン２２のトナーが付着するほうがよいからである。
【００３２】
中間転写ベルト２上に形成された画像調整パターン２２は画像濃度センサ１２で検出され、所定の画像調整が行われる。画像調整の詳細は本発明とは直接関係がなく、またそれ自体公知であるので、説明を省略する。
【００３３】
中間転写ベルト２上に形成された先行パターン２１及び画像調整パターン２２は、図２（ｃ）に示すように、まず先行パターン２１が２次転写ローラ１３を通過する。これにより、先行パターン２１のイエローのトナーの一部が２次転写ローラ１３の全周に付着する
。このとき、バイアス電圧印加装置１７により２次転写ローラ１３にトナーと逆極性のバイアス電圧を印加すれば、より効果的である。残りのトナーは中間転写ベルト２に残ったまま搬送されベルトクリーニング装置１８で除去される。続いて、図２（ｄ）に示すように、この２次転写ローラ１３のイエローのトナーの上に画像調整パターン２２のトナーの一部が付着する。残りのトナーは、先行パターンのイエローのトナーと同様に、中間転写ベルト２に残ったまま搬送されベルトクリーニング装置１８で除去される。
【００３４】
次に、２次転写ローラ１３のバイアス電圧印加装置１７により、２次転写ローラ１３にトナーと逆極性のバイアス電圧を印加して２次転写ローラ１３をクリーニングする。このとき、図３に示すようなトナーの帯電極性と同極性及び逆極性のバイアス電圧を交互に印加して、２次転写ローラ１３をクリーニングすると、より効果的である。これにより、図２（ｅ）に示すように、２次転写ローラ１３に付着した上層の画像調整パターン２２のトナーが先に中間転写ベルト２上に静電的に移動し、続いて先行パターン２１のイエローのトナーが中間転写ベルト２上に静電的に移動し、これらのトナーは中間転写ベルト２上を搬送されてベルトクリーニング装置１７で除去される。２次転写ローラ１３に付着した最下層のイエローのトナーは、中間転写ベルト２に完全に移動せずに２次転写ローラ１３の表面に残ることがある。しかし、イエローのトナーは他の画像調整パターン２２に使用されるトナー又は画像形成に使用されるトナーよりも明度が大きいので、図２（ｆ）に示すように、画像形成時に用紙Ｐの裏面に付着したとしても、汚れが目立たない。
【００３５】
図４は、中間転写ベルト２上に形成する先行パターン２１と画像調整パターン２２の実施例である。
【００３６】
先行パターン２１は、イエローのトナーを使用する２列の連続パターンである。先行パターン２１の幅は２０ｍｍで、後述する画像調整パターン２２より５ｍｍ幅広く形成されている。先行パターン２１の長さは、６５ｍｍで、外径２０ｍｍの２次転写ローラ１３の周長（２０π＝６２．８ｍｍ）よりも長い。
【００３７】
画像調整パターン２２は、トナー付着量検出パターン２２ａと、副走査方向位置検出パターン２２ｂ及び主走査方向位置検出パターン２２ｃからなる。３つの検出パターンは、実際の装置で形成される最も長い組合せである。
【００３８】
トナー付着量検出パターン２２ａは、トナー付着量を検出するためのパターンで、図５に示すように、中間転写ベルト２上にトナー付着量を変化させながら作成する。トナー付着量検出パターン２２ａの作成位置は、画像濃度センサ１２の位置に合わせて画像進行方向に２列である。各列のトナー付着量検出パターン２２ａは、１５×１５ｍｍの色の異なる複数の正方形パターンを濃度を変えて順次作成する。正方形パターンの間隔は７ｍｍで、全長は８５ｍｍである。一方の列はシアンとイエローの正方形パターンを交互に形成し、他方の列はマゼンタとブラックの正方形パターンを交互に形成する。
【００３９】
副走査方向位置検出パターン２２ｂは、トナー付着量検出パターン２２ａと５０ｍｍの間隔をあけて形成される。副走査方向位置検出パターン２２ｂは、画像進行方向の基準色に対する印字位置を検出するパターンで、トナー付着量検出パターン２２ａと同じライン上に、図６に示すように、主走査方向に延びる細長いパターンを一定間隔でラダー状に形成し、全長は２８６ｍｍである。
【００４０】
主走査方向位置検出パターン２２ｃは、副走査方向位置検出パターン２２ｂと５０ｍｍの間隔をあけて形成される。主走査方向位置検出パターン２２ｃは、画像進行方向に対して直角方向の基準色に対する印字開始位置を検出するパターンで、トナー付着量検出パターン２２ａと同じライン上に、図７に示すように、主走査方向に延びる細長いパターンと傾斜パターンを連続して形成し、全長は２７０ｍｍである。
【００４１】
発明者は、本発明の効果を確認するための実験を行った。
まず、中間転写ベルト２上に、発明例として図８（ａ）に示す先行パターン２１と画像調整パターン２２ａ，２２ｂ，２２ｃを形成し、従来例として図８（ｂ）に示す画像調整パターン２２ａ，２２ｂ，２２ｃを連続して形成した。
【００４２】
先行パターン２１が２次転写ローラ１３を通過中、２次転写ローラ１３に、発明例ではトナーと逆極性の＋５００Ｖの逆極性の電圧を印加した。これは、中間転写ベルト２から２次転写ローラ１３にトナーをより多く移動させ、発明の効果を高めるためである。これに対し、従来例では、バイアス電圧を印加しなかった。
【００４３】
画像調整パターン２２ａ，２２ｂ，２２ｃが２次転写ローラ１３を通過中、発明例、従来例供、２次転写ローラ１３にはトナーと同極性の電圧を印加した。トナーが２次転写ローラ１３に付着するのを抑制するためである。
【００４４】
全てのパターン２１，２２ａ，２２ｂ，２２ｃが２次転写ローラ１３を通過した後、２次転写ローラ１３に、発明例、従来例共、トナーと同極性の−５００Ｖと、逆極性の＋５００Ｖのバイアス電圧を交互に印可した。
【００４５】
これらのパターン２１，２２ａ，２２ｂ，２２ｃが２次転写ローラ１３を通過した後に、２次転写ローラ１３に用紙Ｐを通過させ、用紙の裏面の手前側と奥側の明度を測定するとともに、汚れを目視評価した。
【００４６】
パターンを形成する複写機としては、コニカミノルタ製複写機BizhubC353を用いた。明度は、コニカミノルタ製分光測色計CM-2600dを使用し、Ｄ６５光源、照射角２°の条件で測定した。トナーと用紙は、上記条件で測定した明度が次のものを使用した。
イエロー：９０．２４
マゼンタ：４７．９１
シアン：  ５３．５３
ブラック：２３．１２
用紙（コニカミノルタ製ＣＦペーパー）：９４．３〜９４．４
【００４７】
以上の実験を、バイアス電圧を印可する回数（周期）を１回から１０回まで変化させて行った。
【００４８】
図９及び図１０は、上記実験の結果を示す。従来例では、用紙の裏面の明度が９２．４以上で、汚れが見えなくなるまでに、クリーニング回数は１０回以上必要であった。これに対し、発明例では、クリーニング回数が５回で、明度が９４，２以上となり、汚れが見えなくなり、クリーニング回数は従来例に比べて半分となった。
【図面の簡単な説明】
【００４９】
【図１】本発明の一実施形態に係る画像形成装置の作像部の概略構成図。
【図２】本発明の実施形態により中間転写ベルト上に先行パターンと画像調整パターンを形成してから用紙に画像を転写するまでの過程を示す二次転写ローラ部分の側面図。
【図３】本発明の実施形態により二次転写ローラに印加するバイアス電圧の波形図。
【図４】本発明の実施形態により中間転写ベルト上に形成する先行パターンと画像調整パターンを示す。
【図５】トナー付着量検出パターンの拡大図。
【図６】副走査方向位置検出パターンの拡大図。
【図７】主走査方向位置検出パターンの拡大図。
【図８】本発明の効果を確認する実験で使用した発明例と従来例のパターンとバイアス電圧波形を示す図。
【図９】本発明の効果を確認する実験で得られたクリーニング回数と用紙裏面の明度の関係を示す図。
【図１０】本発明の効果を確認する実験での発明例と従来例の評価を示す表。
【符号の説明】
【００５０】
１Ｙ，１Ｍ，１Ｃ，１Ｋ  画像形成ユニット
２  中間転写ベルト（中間転写体）
３  像担持体
６  現像器
１１  １次転写ローラ
１３  ２次転写ローラ
１７  バイアス電圧印加装置
２１  先行パターン
２２  画像調整パターン
【図１】
2010072327.tif 000003
【図２】
2010072327.tif 000004
【図３】
2010072327.tif 000005
【図４】
2010072327.tif 000006
【図５】
2010072327.tif 000007
【図６】
2010072327.tif 000008
【図７】
2010072327.tif 000009
【図８】
2010072327.tif 000010
【図９】
2010072327.tif 000011
【図１０】
2010072327.tif 000012
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
像担持体上に形成された静電潜像を現像して所定のトナー像を形成する像形成手段と、
該像形成手段により形成されたトナー像を中間転写体に１次転写する１次転写手段と、
前記中間転写体から離間されない構成を有し、前記中間転写体に転写されたトナー像を記録媒体に２次転写する２次転写ローラと、
前記２次転写ローラにバイアス電圧を印加して前記２次転写ローラ上のトナーをクリーニングするバイアス電圧印加手段とを備え、
前記像形成手段により形成され、前記中間転写体に転写された、画像調整パターンを構成するトナー像を検出して画像調整を行う画像形成装置において、
前記中間転写体上に、前記画像調整パターンに用いるトナーのうち明度が最も高いトナー又は前記画像調整パターンに用いるトナーよりも明度が高いトナーを用いて、前記画像調整パターンよりも中間転写体進行方向の先行位置に、前記２次転写ローラの周長以上の長さの先行パターンを形成して、前記先行パターンが画像調整パターンより先に前記２次転写ローラに付着し、画像調整パターンが先行パターンよりも先に前記バイアス電圧印加手段により除去されることを特徴とすることを特徴とする画像形成装置。
【請求項２】
前記先行パターンのトナーは、明度が８０以上であることを特徴とする請求項１に記載の画像形成装置。
【請求項３】
前記先行パターンのトナーは、イエローのトナーであることを特徴とする請求項１又は２に記載の画像形成装置。
【請求項４】
前記先行パターンの幅は画像調整パターンの幅よりも幅広であることを特徴とする請求項１から３のいずれかに記載の画像形成装置。
【請求項５】
前記先行パターンが前記２次転写ローラを通過するとき、前記バイアス電圧印加手段により前記２次転写ローラにトナーと逆極性のバイアス電圧を印加することを特徴とする請求項１から４のいずれかに記載の画像形成装置。
【請求項６】
前記画像調整パターンが前記２次転写ローラを通過するとき、前記バイアス電圧印加手段により前記２次転写ローラにトナーと同極性のバイアス電圧を印加することを特徴とする請求項５に記載の画像形成装置。
【請求項７】
前記先行パターン及び前記画像調整パターンが前記２次転写ローラを通過した後、前記バイアス電圧印加手段により前記２次転写ローラにトナーと同極性と逆極性のバイアス電圧を交互に印加することを特徴とする請求項５又は６に記載の画像形成装置。
【手続補正２】
【補正対象書類名】明細書
【補正対象項目名】０００９
【補正方法】変更
【補正の内容】
【０００９】
前記課題を解決するために、第１の手段は、
像担持体上に形成された静電潜像を現像して所定のトナー像を形成する像形成手段と、
該像形成手段により形成されたトナー像を中間転写体に１次転写する１次転写手段と、
前記中間転写体から離間されない構成を有し、前記中間転写体に転写されたトナー像を記録媒体に２次転写する２次転写ローラと、
前記２次転写ローラにバイアス電圧を印加して前記２次転写ローラ上のトナーをクリーニングするバイアス電圧印加手段とを備え、
前記像形成手段により形成され、前記中間転写体に転写された、画像調整パターンを構成するトナー像を検出して画像調整を行う画像形成装置において、
前記中間転写体上に、前記画像調整パターンに用いるトナーのうち明度が最も高いトナー又は前記画像調整パターンに用いるトナーよりも明度が高いトナーを用いて、前記画像調整パターンよりも中間転写体進行方向の先行位置に、前記２次転写ローラの周長以上の長さの先行パターンを形成して、前記先行パターンが画像調整パターンより先に前記２次転写ローラに付着し、画像調整パターンが先行パターンよりも先に前記バイアス電圧印加手段により除去されるようにした。
【手続補正３】
【補正対象書類名】明細書
【補正対象項目名】００１３
【補正方法】変更
【補正の内容】
【００１３】
第５の手段は、前記各手段において、前記先行パターンが前記２次転写ローラを通過するとき、前記バイアス電圧印加手段により前記２次転写ローラにトナーと逆極性のバイアス電圧を印加する。